【手続補正書】
【提出日】平成27年11月17日(2015.11.17)
【手続補正１】
【補正対象書類名】特許請求の範囲
【補正対象項目名】全文
【補正方法】変更
【補正の内容】
【特許請求の範囲】
【請求項１】
熱可逆記録媒体に対してレーザ光を照射し、加熱することにより画像消去及び画像記録を１台で行う画像処理装置であって、
前記レーザ光を出射するレーザ光出射手段と、
前記レーザ光を前記熱可逆記録媒体上のレーザ光照射面で走査させるレーザ光走査手段と、
前記レーザ光出射手段と前記レーザ光走査手段との間に、位置を移動可能なレンズ系を有し、前記レンズ系の位置を調整することにより前記レーザ光の焦点距離を制御する焦点距離制御手段と、
画像消去情報、画像記録情報、及び前記熱可逆記録媒体と前記レーザ光出射手段のレーザ光出射面との距離情報を入力し、設定する情報設定手段と、を有してなり、
画像消去時には焦点距離制御手段により熱可逆記録媒体の位置でデフォーカスさせて制御し、
画像記録時には前記焦点距離制御手段により前記熱可逆記録媒体の位置で焦点距離となるように制御し、
前記情報設定手段により設定された前記画像消去情報を基に画像消去完了直後に、前記画像記録情報を基に画像記録を行うことを特徴とする画像処理装置。
【請求項２】
前記情報設定手段により設定された前記画像消去情報、前記画像記録情報、及び前記距離情報を一つの制御ファイルとして用いる請求項１に記載の画像処理装置。
【請求項３】
画像消去時における熱可逆記録媒体の位置でデフォーカスさせて、焦点距離制御手段により前記熱可逆記録媒体の位置の手前が焦点距離となるように制御する請求項１から２のいずれかに記載の画像処理装置。
【請求項４】
熱可逆記録媒体とレーザ光出射手段のレーザ光出射面との距離を計測する距離計測手段を有し、
前記距離計測手段の計測結果に基づき、情報設定手段で設定した距離情報を補正する請求項１から３のいずれかに記載の画像処理装置。
【請求項５】
熱可逆記録媒体の温度及び前記熱可逆記録媒体の周囲温度の少なくともいずれかの温度を計測する温度計測手段を有し、前記温度計測手段の計測結果に基づき、照射エネルギーを制御する請求項１から４のいずれかに記載の画像処理装置。
【請求項６】
請求項１から５のいずれかに記載の画像処理装置であって、
レーザ光出射手段において、レーザ光の出力制御をパルス長さとピークパワーで制御を行い、画像消去時のピークパワーと画像記録時のピークパワーを変更することを特徴とする画像処理装置。
【請求項７】
画像消去時のピークパワーが画像記録時のピークパワーより高い請求項６に記載の画像処理装置。
【請求項８】
レーザ光出射手段におけるレーザ光源が、ファイバ結合レーザである請求項１から７のいずれかに記載の画像処理装置。
【請求項９】
照射するレーザ光の波長が７００ｎｍ〜１，６００ｎｍである請求項１から８のいずれかに記載の画像処理装置。
【請求項１０】
請求項１から５のいずれかに記載の画像処理装置を用いた画像処理方法であって、
前記熱可逆記録媒体に対して、レーザ光を照射して加熱することにより一つのレーザ光描画線からなる単線描画画像、及びレーザ光を互いに所定間隔離間して並列に照射して加熱することにより複数のレーザ光描画線からなる複数線描画画像の少なくともいずれかを記録する画像記録工程と、前記熱可逆記録媒体に対して、レーザ光を照射して加熱することにより前記単線描画画像、及び前記複数線描画画像の少なくともいずれかを消去する画像消去工程と、を含み、
前記画像消去工程を行った後、前記画像記録工程において、前記複数線描画画像を記録する前に、前記単線描画画像の少なくとも一部を記録することを特徴とする画像処理方法。
【請求項１１】
前記画像記録工程において、前記複数線描画画像を記録する前に、前記単線描画画像をすべて記録する請求項１０に記載の画像処理方法。
【請求項１２】
前記画像記録工程において、前記複数線描画画像のうち、描画本数の少ない複数線描画画像から記録する請求項１０から１１のいずれかに記載の画像処理方法。
【請求項１３】
前記画像記録工程において、前記複数線描画画像のうち、描画画像の面積が小さい描画画像から記録する請求項１０から１２のいずれかに記載の画像処理方法。
【請求項１４】
請求項１から５のいずれかに記載の画像処理装置を用いた画像処理方法であって、
前記熱可逆記録媒体に対して、レーザ光を照射して加熱することにより一つのレーザ光描画線からなる単線描画画像、及びレーザ光を互いに所定間隔離間して並列に照射して加熱することにより複数のレーザ光描画線からなる複数線描画画像の少なくともいずれかを記録する画像記録工程と、
前記熱可逆記録媒体に対して、レーザ光を照射して加熱することにより前記単線描画画像、及び前記複数線描画画像の少なくともいずれかを消去する画像消去工程と、を含み、
前記画像記録工程を行う前に、前記画像消去工程において、前記画像記録工程で複数線描画画像を記録する領域をすべて消去した後、前記画像記録工程で単線描画画像を記録する領域の少なくとも一部を消去することを特徴とする画像処理方法。
【請求項１５】
前記画像記録工程を行う前に、前記画像消去工程において、前記画像記録工程で複数線描画画像を記録する領域をすべて消去した後、前記画像記録工程で単線描画画像を記録する領域のすべてを消去する請求項１４に記載の画像処理方法。
【請求項１６】
前記画像消去工程において、前記画像記録工程で複数線描画画像を記録する領域のうち、描画本数の多い複数線描画画像を記録する領域から消去する請求項１４から１５のいずれかに記載の画像処理方法。
【請求項１７】
前記画像消去工程において、前記画像記録工程で複数線描画画像を記録する領域のうち、描画画像の面積が大きい複数線描画画像を記録する領域から消去する請求項１４から１６のいずれかに記載の画像処理方法。
【請求項１８】
前記画像消去工程が完了してから前記画像記録工程を開始するまでの時間が、４００ｍｓ以上である請求項１０から１７のいずれかに記載の画像処理方法。
【請求項１９】
前記画像記録工程及び前記画像消去工程の少なくともいずれかが、
第一のレーザ光照射領域と、該第一のレーザ光照射領域と並列である第二のレーザ光照射領域とを、該熱可逆記録媒体上に順に形成するためのレーザ光照射工程を更に含み、
前記第一のレーザ光照射領域の形成後、前記第二のレーザ光照射領域の形成開始までに、前記熱可逆記録媒体に対しレーザ光を照射しない期間が設けられている請求項１０から１８のいずれかに記載の画像処理方法。
【請求項２０】
前記第二のレーザ光照射領域が、前記第一のレーザ光照射領域と重なる領域を有する請求項１９に記載の画像処理方法。
【請求項２１】
第一の始点から第一の終点にレーザ光を照射して第一のレーザ光照射領域を形成し、前記第一の終点から、第二の始点までレーザ光を照射しないで走査し、前記第二の始点から前記第一のレーザ光照射領域と平行に第二の終点に向けて、レーザ光を照射して前記第一のレーザ光照射領域に隣接する第二のレーザ光照射領域を形成する請求項１９に記載の画像処理方法。
【請求項２２】
第一の始点から第一の終点にレーザ光を照射して第一のレーザ光照射領域を形成し、前記第一の終点から、第二の始点までレーザ光を照射しないで走査し、前記第二の始点から前記第一のレーザ光照射領域と平行な線に対して前記第一の始点側に傾く方向の線上に位置する第二の終点に向けて、レーザ光を照射して前記第一のレーザ光照射領域に隣接する第二のレーザ光照射領域を形成する請求項１９に記載の画像処理方法。
【請求項２３】
請求項１から９のいずれかに記載の画像処理装置、及び請求項１０から２２のいずれかに記載の画像処理方法の少なくともいずれかがコンベアシステムに組み込まれ、前記コンベアシステムからの情報を基に画像処理することを特徴とするコンベアシステム。
【請求項２４】
コンベアシステムで書換える画像情報が、少なくともバーコード情報を含み、書換え直後にバーコード読取りを行う請求項２３に記載のコンベアシステム。